【手続補正書】
【提出日】平成15年5月13日(2003.5.13)
【手続補正１】
【補正対象書類名】明細書
【補正対象項目名】特許請求の範囲
【補正方法】変更
【補正の内容】
【特許請求の範囲】
【請求項１】
一般構造：
【化１】
2004509190.tif 000001
［式中、Ｚはエステル、エステル−イミド及びエステル−アミドから構成される群から選択されるオリゴマー混合物の液晶主鎖であり、Ｅ及びＥ’は
【化２】
2004509190.tif 000002
（式中、Ｒ’は水素、炭素原子数６以下のアルキル基、炭素原子数１０未満のアリール基、炭素原子数６以下の低級アルコキシ基、炭素原子数１０以下の低級アリールオキシ基、フッ素、塩素、臭素及びヨウ素から構成される群から選択される）から構成される群から選択される］を含む自己反応性エンドキャップをもつオリゴマー混合物。
【請求項２】
一般構造：
【化３】
2004509190.tif 000003
［式中、Ｚは
【化４】
2004509190.tif 000004
（式中、Ｒは
【化５】
2004509190.tif 000005
から構成される群から選択され、ｎは５００未満の数であり、ｍは５００未満の数であり、Ａｒは
【化６】
2004509190.tif 000006
から構成される群から選択され、Ｘは
【化７】
2004509190.tif 000007
から構成される群から選択され、ｎは５００未満の数である）から構成される群から選択される少なくとも１個の構造反復単位をもつオリゴマー混合物の液晶主鎖であり、Ｅ及びＥ’は
【化８】
2004509190.tif 000008
（式中、Ｒ’は水素、炭素原子数６以下のアルキル基、炭素原子数１０未満のアリール基、炭素原子数６以下の低級アルコキシ基、炭素原子数１０以下の低級アリールオキシ基、フッ素、塩素、臭素及びヨウ素から構成される群から選択することができる）から構成される群から選択される］を含む自己反応性エンドキャップをもつオリゴマー混合物。
【請求項３】
ＥとＥ’が同一である請求項１に記載の自己反応性エンドキャップをもつオリゴマー混合物。
【請求項４】
オリゴマーの分子量範囲が約１０００〜約１５，０００ｇ／ｍｏｌである請求項１に記載の自己反応性エンドキャップをもつオリゴマー混合物。
【請求項５】
オリゴマー混合物の溶融粘度が約２００℃〜約３５０℃で約１〜約２５０ポアズである請求項１に記載の自己反応性エンドキャップをもつオリゴマー混合物。
【請求項６】
請求項１に記載の自己反応性エンドキャップをもつオリゴマー混合物を含むポリマー製品であって、溶融加工、成形、紡糸、反応性射出成形（ＲＩＭ）、樹脂トランスファー成形（ＲＴＭ）、樹脂フィルム含浸（ＲＦＩ）、粉末成形、射出成形、吹込成形、熱成形、プラズマ溶射及び引抜成形から構成される群から選択される方法により製造される前記製品。
【請求項７】
繊維、フィラメント、コーティング、フィルム、ライニング、チューブ、パイプ、シース、シート及びパネルから構成される群から選択される形態である請求項６に記載のポリマー製品。
【請求項８】
Ｅ及びＥ’が
【化９】
2004509190.tif 000009
であり、Ｚが
【化１０】
2004509190.tif 000010
（式中、Ａｒは
【化１１】
2004509190.tif 000011
である）である請求項２に記載のオリゴマー混合物。
【請求項９】
Ｅ及びＥ’が
【化１２】
2004509190.tif 000012
であり、Ｚが
【化１３】
2004509190.tif 000013
（式中、Ａｒ１及びＡｒ２は
【化１４】
2004509190.tif 000014
である）である請求項２に記載のオリゴマー混合物。
【請求項１０】
Ｅ及びＥ’が
【化１５】
2004509190.tif 000015
であり、Ｚが
【化１６】
2004509190.tif 000016
（式中、Ａｒ１及びＡｒ３は
【化１７】
2004509190.tif 000017
であり、Ａｒ２は
【化１８】
2004509190.tif 000018
である）から構成される群から選択される請求項２に記載のオリゴマー混合物。
【請求項１１】
自己反応性エンドキャップをもつオリゴマー混合物の製造方法であって、
（１）ジカルボン酸、ジオール、ジアミン及び安息香酸から構成される群から選択される１種以上の成分を反応させ、オリゴマー主鎖を形成する段階と、
（２）オリゴマー主鎖と別に合成することにより少なくとも１種のエンドキャップ基を提供する段階と、
（３）オリゴマー主鎖を少なくとも１種のエンドキャップ基と反応させ、自己反応性エンドキャップをもつオリゴマー混合物を形成する段階を含む前記方法。
【請求項１２】
１種以上のジカルボン酸が芳香族、複素環及び脂肪族ジカルボン酸から構成される群から選択される請求項１１に記載の方法。
【請求項１３】
１種以上のジオールが芳香族、複素環及び脂肪族ジオールから構成される群から選択される請求項１１に記載の方法。
【請求項１４】
１種以上のジアミンが芳香族、複素環及び脂肪族ジアミンから構成される群から選択される請求項１１に記載の方法。
【請求項１５】
１種以上の安息香酸がヒドロキシ安息香酸及びアミノ安息香酸から構成される群から選択される請求項１１に記載の方法。
【請求項１６】
段階（２）の前に少なくとも１個の反応容器で少なくとも１種のエンドキャップ基を合成する段階を実施する請求項１１に記載の方法。
【請求項１７】
少なくとも１種のエンドキャップ基が酸無水物をアミノフェノールと反応させることにより合成される請求項１１に記載の方法。
【請求項１８】
少なくとも１種のエンドキャップ基が酸無水物をアミノカルボン酸と反応させることにより合成される請求項１１に記載の方法。
【請求項１９】
段階（３）の後に架橋液晶オリゴマー熱硬化性樹脂を形成するために十分な熱を加える段階を実施する請求項１１に記載の方法。
【請求項２０】
段階（３）の後に部分架橋オリゴマーを形成するために十分な熱を加える段階を実施する請求項１１に記載の方法。
【請求項２１】
少なくとも１種のエンドキャップ基が
【化１９】
2004509190.tif 000019
（式中、Ｒ’は水素、炭素原子数６以下のアルキル基、炭素原子数１０未満のアリール基、炭素原子数６以下の低級アルコキシ基、炭素原子数１０以下の低級アリールオキシ基、フッ素、塩素、臭素及びヨウ素から構成される群から選択される）から構成される群から選択される請求項１１に記載の方法。
【請求項２２】
オリゴマー主鎖が
【化２０】
2004509190.tif 000020
（式中、Ｒは
【化２１】
2004509190.tif 000021
から構成される群から選択され、ｎは５００未満の数であり、ｍは５００未満の数であり、Ａｒは
【化２２】
2004509190.tif 000022
から構成される群から選択され、Ｘは
【化２３】
2004509190.tif 000023
から構成される群から選択され、ｎは５００未満の数である）から構成される群から選択される少なくとも１個の構造反復単位を含み、少なくとも１種のエンドキャップ基が
【化２４】
2004509190.tif 000024
（式中、Ｒ’は水素、炭素原子数６以下のアルキル基、炭素原子数１０未満のアリール基、炭素原子数６以下の低級アルコキシ基、炭素原子数１０以下の低級アリールオキシ基、フッ素、塩素、臭素及びヨウ素から構成される群から選択することができる）から構成される群から選択される請求項１１に記載の方法。
【請求項２３】
オリゴマー混合物中のオリゴマーの分子量範囲が約１，０００〜約１５，０００ｇ／ｍｏｌである請求項１１に記載の方法。
【請求項２４】
オリゴマー混合物の溶融粘度が約２００℃〜約３５０℃で約１〜約２５０ポアズである請求項１１に記載の方法。
【請求項２５】
請求項１１に記載の方法により形成された自己反応性エンドキャップをもつオリゴマー混合物を含むポリマー製品であって、溶融加工、成形、紡糸、反応性射出成形（ＲＩＭ）、樹脂トランスファー成形（ＲＴＭ）、樹脂フィルム射出（ＲＦＩ）、粉末成形、射出成形、吹込成形、熱成形、プラズマ溶射及び引抜成形から構成される群から選択される方法により製造される前記ポリマー製品。
【請求項２６】
繊維、フィラメント、コーティング、フィルム、ライニング、チューブ、パイプ、シース、シート及びパネルから構成される群から選択される形態である請求項２５に記載のポリマー製品。
【請求項２７】
少なくとも１種のエンドキャップ基が
【化２５】
2004509190.tif 000025
であり、オリゴマー主鎖が反復単位：
【化２６】
2004509190.tif 000026
（式中、Ａｒは
【化２７】
2004509190.tif 000027
である）を含む請求項１１に記載の方法。
【請求項２８】
少なくとも１種のエンドキャップ基が
【化２８】
2004509190.tif 000028
であり、オリゴマー主鎖が
【化２９】
2004509190.tif 000029
（式中、Ａｒ１及びＡｒ２は
【化３０】
2004509190.tif 000030
である）から構成される群から選択される反復単位を含む請求項１１に記載の方法。
【請求項２９】
少なくとも１種のエンドキャップ基が
【化３１】
2004509190.tif 000031
であり、オリゴマー主鎖が
【化３２】
2004509190.tif 000032
（式中、Ａｒ１及びＡｒ３は
【化３３】
2004509190.tif 000033
であり、Ａｒ２は
【化３４】
2004509190.tif 000034
である）から構成される群から選択される反復単位を含む請求項１１に記載の方法。